(57)【要約】  過電流保護回路及び液晶ディスプレイを開示し、該過電流保護回路は第１電界効果トランジスタＱ３、電圧比較器及びロジック制御モジュール２１を含み、第１電界効果トランジスタＱ３のゲートが電源電圧Ｖａにアクセスし、第１電界効果トランジスタＱ３のソースが直流電圧ＤＣにアクセスし、電圧比較器の正方向入力端子が第１電界効果トランジスタＱ３のドレインに電気的に接続され、電圧比較器の逆方向入力端子が参照電圧Ｖｒｅｆにアクセスし、電圧比較器の出力端子がロジック制御モジュール２１の入力端子に接続される。
2020527311.tif 000002
【特許請求の範囲】
【請求項１】
チャージポンプ回路に過電流保護を行うことに用いられる過電流保護回路であって、前記過電流保護回路は第１電界効果トランジスタ、コンデンサ、電圧比較器及びロジック制御モジュールを含み、
前記第１電界効果トランジスタのゲートが電源電圧にアクセスし、前記第１電界効果トランジスタのソースが直流電圧にアクセスし、前記第１電界効果トランジスタのドレインが前記コンデンサの一端に電気的に接続され、前記コンデンサの他端が接地し、
前記電圧比較器の正方向入力端子が前記第１電界効果トランジスタのドレインに電気的に接続され、前記電圧比較器の逆方向入力端子が参照電圧にアクセスし、前記電圧比較器の出力端子が前記ロジック制御モジュールの入力端子に接続され、前記ロジック制御モジュールの出力端子が前記チャージポンプ回路に接続され、
前記チャージポンプ回路は第２電界効果トランジスタ及び電圧入力端子を含み、前記ロジック制御モジュールの出力端子が前記第２電界効果トランジスタのゲートに接続され、前記第２電界効果トランジスタのソースが前記電圧入力端子に接続され、前記第２電界効果トランジスタのドレインが接地し、
前記過電流保護回路はさらに抵抗器を含み、前記抵抗器の一端が前記ロジック制御モジュールの入力端子に接続され、前記抵抗器の他端が接地する過電流保護回路。
【請求項２】
前記過電流保護回路は前記チャージポンプ回路のオン段階では、前記第２電界効果トランジスタのインピーダンスを増大して、前記チャージポンプ回路に過電流保護を行うことに用いられる請求項１に記載の過電流保護回路。
【請求項３】
前記電圧比較器の高レベル入力端子が第１電圧を入力し、前記電圧比較器の低レベル入力端子が第２電圧を入力し、前記第１電圧及び前記第２電圧はいずれも前記第２電界効果トランジスタのインピーダンスに応じて設定される請求項１に記載の過電流保護回路。
【請求項４】
前記第１電界効果トランジスタはＮチャンネル電界効果トランジスタであり、
前記チャージポンプ回路のオン段階では、前記電源電圧が低レベルであり、前記電圧比較器に第１電圧を出力させ、
前記チャージポンプ回路の動作段階では、前記電源電圧が高レベルであり、前記電圧比較器に第２電圧を出力させる請求項３に記載の過電流保護回路。
【請求項５】
前記第２電圧は前記第２電界効果トランジスタのインピーダンスが比較的大きい時の電圧であり、前記第１電圧は前記第２電界効果トランジスタのインピーダンスが所定インピーダンス範囲内にある電圧である請求項３に記載の過電流保護回路。
【請求項６】
前記過電流保護回路はさらにスイッチを含み、前記電圧比較器の出力端子が前記スイッチの入力端子に接続され、前記スイッチの出力端子が前記ロジック制御モジュールの入力端子に接続され、前記スイッチの制御端子が前記電源電圧にアクセスする請求項１に記載の過電流保護回路。
【請求項７】
前記電源電圧が高レベルである時、前記スイッチがオンし、前記電源電圧が低レベルである時、前記スイッチがオフする請求項６に記載の過電流保護回路。
【請求項８】
チャージポンプ回路に過電流保護を行うことに用いられる過電流保護回路であって、前記過電流保護回路は第１電界効果トランジスタ、コンデンサ、電圧比較器及びロジック制御モジュールを含み、
前記第１電界効果トランジスタのゲートが電源電圧にアクセスし、前記第１電界効果トランジスタのソースが直流電圧にアクセスし、前記第１電界効果トランジスタのドレインが前記コンデンサの一端に電気的に接続され、前記コンデンサの他端が接地し、
前記電圧比較器の正方向入力端子が前記第１電界効果トランジスタのドレインに電気的に接続され、前記電圧比較器の逆方向入力端子が参照電圧にアクセスし、前記電圧比較器の出力端子が前記ロジック制御モジュールの入力端子に接続され、前記ロジック制御モジュールの出力端子が前記チャージポンプ回路に接続される過電流保護回路。
【請求項９】
前記チャージポンプ回路は第２電界効果トランジスタ及び電圧入力端子を含み、前記ロジック制御モジュールの出力端子が前記第２電界効果トランジスタのゲートに接続され、前記第２電界効果トランジスタのソースが前記電圧入力端子に接続され、前記第２電界効果トランジスタのドレインが接地する請求項８に記載の過電流保護回路。
【請求項１０】
前記過電流保護回路は前記チャージポンプ回路のオン段階では、前記第２電界効果トランジスタのインピーダンスを増大して、前記チャージポンプ回路に過電流保護を行うことに用いられる請求項９に記載の過電流保護回路。
【請求項１１】
前記電圧比較器の高レベル入力端子が第１電圧を入力し、前記電圧比較器の低レベル入力端子が第２電圧を入力し、前記第１電圧及び前記第２電圧はいずれも前記第２電界効果トランジスタのインピーダンスに応じて設定される請求項９に記載の過電流保護回路。
【請求項１２】
前記第１電界効果トランジスタはＮチャンネル電界効果トランジスタであり、
前記チャージポンプ回路のオン段階では、前記電源電圧が低レベルであり、前記電圧比較器に第１電圧を出力させ、
前記チャージポンプ回路の動作段階では、前記電源電圧が高レベルであり、前記電圧比較器に第２電圧を出力させる請求項１１に記載の過電流保護回路。
【請求項１３】
前記第２電圧は前記第２電界効果トランジスタのインピーダンスが比較的大きい時の電圧であり、前記第１電圧は前記第２電界効果トランジスタのインピーダンスが所定インピーダンス範囲内にある電圧である請求項１１に記載の過電流保護回路。
【請求項１４】
前記過電流保護回路はさらに抵抗器を含み、前記抵抗器の一端が前記ロジック制御モジュールの入力端子に接続され、前記抵抗器の他端が接地する請求項８に記載の過電流保護回路。
【請求項１５】
前記過電流保護回路はさらにスイッチを含み、前記電圧比較器の出力端子が前記スイッチの入力端子に接続され、前記スイッチの出力端子が前記ロジック制御モジュールの入力端子に接続され、前記スイッチの制御端子が前記電源電圧にアクセスする請求項８に記載の過電流保護回路。
【請求項１６】
前記電源電圧が高レベルである時、前記スイッチがオンし、前記電源電圧が低レベルである時、前記スイッチがオフする請求項１５に記載の過電流保護回路。
【請求項１７】
それは過電流保護回路を含む液晶ディスプレイであって、前記過電流保護回路はチャージポンプ回路に過電流保護を行うことに用いられ、第１電界効果トランジスタ、コンデンサ、電圧比較器及びロジック制御モジュールを含み、
前記第１電界効果トランジスタのゲートが電源電圧にアクセスし、前記第１電界効果トランジスタのソースが直流電圧にアクセスし、前記第１電界効果トランジスタのドレインが前記コンデンサの一端に電気的に接続され、前記コンデンサの他端が接地し、
前記電圧比較器の正方向入力端子が前記第１電界効果トランジスタのドレインに電気的に接続され、前記電圧比較器の逆方向入力端子が参照電圧にアクセスし、前記電圧比較器の出力端子が前記ロジック制御モジュールの入力端子に接続され、前記ロジック制御モジュールの出力端子が前記チャージポンプ回路に接続される液晶ディスプレイ。
【請求項１８】
前記チャージポンプ回路は第２電界効果トランジスタ及び電圧入力端子を含み、前記ロジック制御モジュールの出力端子が前記第２電界効果トランジスタのゲートに接続され、前記第２電界効果トランジスタのソースが前記電圧入力端子に接続され、前記第２電界効果トランジスタのドレインが接地する請求項１７に記載の液晶ディスプレイ。
【請求項１９】
前記過電流保護回路は前記チャージポンプ回路のオン段階では、前記第２電界効果トランジスタのインピーダンスを増大して、前記チャージポンプ回路に過電流保護を行うことに用いられる請求項１８に記載の液晶ディスプレイ。
【請求項２０】
前記電圧比較器の高レベル入力端子が第１電圧を入力し、前記電圧比較器の低レベル入力端子が第２電圧を入力し、前記第１電圧及び前記第２電圧はいずれも前記第２電界効果トランジスタのインピーダンスに応じて設定される請求項１８に記載の液晶ディスプレイ。
【発明の詳細な説明】
【技術分野】
【０００１】
本発明は表示技術分野に関し、特に過電流保護回路及び液晶ディスプレイに関する。
【背景技術】
【０００２】
パネル駆動では、ゲートの高レベルに対する駆動電圧がチャージポンプ（Ｃｈａｒｇｅ  Ｐｕｍｐ）によって発生し、正常のブースト（ＢＯＯＳＴ）回路に比べて、コストが低く、実現が簡単であるため、現在最も一般的に使用されるトポロジー構造となっている。
【０００３】
図１は普通のＣｈａｒｇｅ  Ｐｕｍｐ回路１０であり、そのうちＤ１−Ｄ４が二段Ｃｈａｒｇｅ  Ｐｕｍｐを構成し、その動作方式はＣ１、Ｃ２の電流ポンプの機能を利用し、ＤＲＰピンの電圧高低変化によって、最終的に所要の電圧を発生させるのであるが、この回路は外部配線によってＬ１−Ｌ３寄生インダクタが生じるという問題がある。起動直後におけるアナログ電源電圧ＡＶＤＤの確立のため、Ｑ２のオン及びオフ時、大電流が寄生インダクタＬ２、Ｌ１を流れてＤＲＰピンの損傷及びパルス幅調整チップ内部のほかのロジック素子の破損をもたらす可能性がある。
【０００４】
Ｃｈａｒｇｅ  Ｐｕｍｐが動作を開始すると、Ｑ２がオンし、この場合、２つのループ１０１、１０２が存在し、Ｃ１、Ｃ２が充電していないため、大電流がこれら２つのループを流れる。Ｑ２がオフする時、比較的大きなエネルギーがＬ１、Ｌ２に蓄積され、ＤＲＰの電圧の急増をもたらし、寄生インダクタが大きいほど、エネルギーが大きく、且つ寄生インダクタが存在するため、寄生パラメータもますます大きくなる可能性がある。
【０００５】
従って、従来技術に存在する問題を解決する過電流保護回路及び液晶ディスプレイを提供する必要がある。
【発明の概要】
【発明が解決しようとする課題】
【０００６】
本発明の目的は、チャージポンプ回路に過電流保護を行うことができる過電流保護回路及び液晶ディスプレイを提供することである。
【課題を解決するための手段】
【０００７】
上記技術的問題を解決するために、本発明はチャージポンプ回路に過電流保護を行うことに用いられる過電流保護回路を提供し、前記過電流保護回路は第１電界効果トランジスタ、コンデンサ、電圧比較器及びロジック制御モジュールを含み、前記第１電界効果トランジスタのゲートが電源電圧にアクセスし、前記第１電界効果トランジスタのソースが直流電圧にアクセスし、前記第１電界効果トランジスタのドレインが前記コンデンサの一端に電気的に接続され、前記コンデンサの他端が接地し、前記電圧比較器の正方向入力端子が前記第１電界効果トランジスタのドレインに電気的に接続され、前記電圧比較器の逆方向入力端子が参照電圧にアクセスし、前記電圧比較器の出力端子が前記ロジック制御モジュールの入力端子に接続され、前記ロジック制御モジュールの出力端子が前記チャージポンプ回路に接続され、前記チャージポンプ回路は第２電界効果トランジスタ及び電圧入力端子を含み、前記ロジック制御モジュールの出力端子が前記第２電界効果トランジスタのゲートに接続され、前記第２電界効果トランジスタのソースが前記電圧入力端子に接続され、前記第２電界効果トランジスタのドレインが接地し、前記過電流保護回路はさらに抵抗器を含み、前記抵抗器の一端が前記ロジック制御モジュールの入力端子に接続され、前記抵抗器の他端が接地する。
【０００８】
本発明の過電流保護回路において、前記過電流保護回路は前記チャージポンプ回路のオン段階では、前記第２電界効果トランジスタのインピーダンスを増大して、前記チャージポンプ回路に過電流保護を行うことに用いられる。
【０００９】
本発明の過電流保護回路において、前記電圧比較器の高レベル入力端子が第１電圧を入力し、前記電圧比較器の低レベル入力端子が第２電圧を入力し、前記第１電圧及び前記第２電圧はいずれも前記第２電界効果トランジスタのインピーダンスに応じて設定される。
【００１０】
本発明の過電流保護回路において、前記第１電界効果トランジスタはＮチャンネル電界効果トランジスタであり、前記チャージポンプ回路のオン段階では、前記電源電圧が低レベルであり、前記電圧比較器に第１電圧を出力させ、前記チャージポンプ回路の動作段階では、前記電源電圧が高レベルであり、前記電圧比較器に第２電圧を出力させる。
【００１１】
本発明の過電流保護回路において、前記第２電圧は前記第２電界効果トランジスタのインピーダンスが比較的大きい時の電圧であり、前記第１電圧は前記第２電界効果トランジスタのインピーダンスが所定インピーダンス範囲内にある電圧である。
【００１２】
本発明の過電流保護回路において、前記過電流保護回路はさらにスイッチを含み、前記電圧比較器の出力端子が前記スイッチの入力端子に接続され、前記スイッチの出力端子が前記ロジック制御モジュールの入力端子に接続され、前記スイッチの制御端子が前記電源電圧にアクセスする。
【００１３】
本発明の過電流保護回路において、前記電源電圧が高レベルである時、前記スイッチがオンし、前記電源電圧が低レベルである時、前記スイッチがオフする。
【００１４】
上記技術的問題を解決するために、本発明はチャージポンプ回路に過電流保護を行うことに用いられる過電流保護回路を提供し、前記過電流保護回路は第１電界効果トランジスタ、コンデンサ、電圧比較器及びロジック制御モジュールを含み、前記第１電界効果トランジスタのゲートが電源電圧にアクセスし、前記第１電界効果トランジスタのソースが直流電圧にアクセスし、前記第１電界効果トランジスタのドレインが前記コンデンサの一端に電気的に接続され、前記コンデンサの他端が接地し、前記電圧比較器の正方向入力端子が前記第１電界効果トランジスタのドレインに電気的に接続され、前記電圧比較器の逆方向入力端子が参照電圧にアクセスし、前記電圧比較器の出力端子が前記ロジック制御モジュールの入力端子に接続され、前記ロジック制御モジュールの出力端子が前記チャージポンプ回路に接続される。
【００１５】
本発明の過電流保護回路において、前記チャージポンプ回路は第２電界効果トランジスタ及び電圧入力端子を含み、前記ロジック制御モジュールの出力端子が前記第２電界効果トランジスタのゲートに接続され、前記第２電界効果トランジスタのソースが前記電圧入力端子に接続され、前記第２電界効果トランジスタのドレインが接地する。
【００１６】
本発明の過電流保護回路において、前記過電流保護回路は前記チャージポンプ回路のオン段階では、前記第２電界効果トランジスタのインピーダンスを増大して、前記チャージポンプ回路に過電流保護を行うことに用いられる。
【００１７】
本発明の過電流保護回路において、前記電圧比較器の高レベル入力端子が第１電圧を入力し、前記電圧比較器の低レベル入力端子が第２電圧を入力し、前記第１電圧及び前記第２電圧はいずれも前記第２電界効果トランジスタのインピーダンスに応じて設定される。
【００１８】
本発明の過電流保護回路において、前記第１電界効果トランジスタはＮチャンネル電界効果トランジスタであり、前記チャージポンプ回路のオン段階では、前記電源電圧が低レベルであり、前記電圧比較器に第１電圧を出力させ、前記チャージポンプ回路の動作段階では、前記電源電圧が高レベルであり、前記電圧比較器に第２電圧を出力させる。
【００１９】
本発明の過電流保護回路において、前記第２電圧は前記第２電界効果トランジスタのインピーダンスが比較的大きい時の電圧であり、前記第１電圧は前記第２電界効果トランジスタのインピーダンスが所定インピーダンス範囲内にある電圧である。
【００２０】
本発明の過電流保護回路において、前記過電流保護回路はさらに抵抗器を含み、前記抵抗器の一端が前記ロジック制御モジュールの入力端子に接続され、前記抵抗器の他端が接地する。
【００２１】
本発明の過電流保護回路において、前記過電流保護回路はさらにスイッチを含み、前記電圧比較器の出力端子が前記スイッチの入力端子に接続され、前記スイッチの出力端子が前記ロジック制御モジュールの入力端子に接続され、前記スイッチの制御端子が前記電源電圧にアクセスする。
【００２２】
本発明の過電流保護回路において、前記電源電圧が高レベルである時、前記スイッチがオンし、前記電源電圧が低レベルである時、前記スイッチがオフする。
【００２３】
本発明はさらに、上記過電流保護回路を含む液晶ディスプレイを提供する。
【発明の効果】
【００２４】
本発明の過電流保護回路及び液晶ディスプレイは、従来のチャージポンプ回路に過電流保護回路を増設することで、起動段階ではチャージポンプ回路の電界効果トランジスタの比較的大きなインピーダンスを維持でき、大電流の発生を抑制し、チップ損傷を防止するとともに、チップの正常動作を確実にすることができる。
【図面の簡単な説明】
【００２５】
【図１】図１は従来のチャージポンプ回路の回路図である。
【図２】図２は本発明の過電流保護回路の回路図である。
【図３】図３は本発明の過電流保護回路とチャージポンプ回路の組合せ回路図である。
【発明を実施するための形態】
【００２６】
以下、各実施例は添付図面を参照して説明され、本発明を実施できる特定の実施例を例示するためのものである。本発明に係る方向用語、例えば「上」、「下」、「前」、「後」、「左」、「右」、「内」、「外」、「側面」等は単に添付図面を参照する方向に過ぎない。従って、使用される方向用語は本発明を説明及び理解するためのものであり、本発明を限定するものではない。図中、構造が類似するユニットは同一符号で示されている。
【００２７】
図２を参照すると、図２は本発明の過電流保護回路の回路図である。
【００２８】
図２に示すように、本発明の過電流保護回路２０はチャージポンプ回路１０に過電流保護を行うことに用いられ、該チャージポンプ回路１０はパルス幅変調（ＰＷＭ）チップに設置される。該過電流保護回路２０は第１電界効果トランジスタＱ３、コンデンサＣ６、電圧比較器及びロジック制御モジュール２１を含む。
【００２９】
上記第１電界効果トランジスタＱ３のゲートが電源電圧Ｖａにアクセスし、上記第１電界効果トランジスタＱ３のソースが直流電圧ＤＣにアクセスし、上記第１電界効果トランジスタＱ３のドレインが上記コンデンサＣ６の一端に電気的に接続され、上記コンデンサＣ６の他端が接地する。
【００３０】
上記電圧比較器の正方向入力端子が上記第１電界効果トランジスタＱ３のドレインに電気的に接続され、上記電圧比較器の逆方向入力端子が参照電圧Ｖｒｅｆにアクセスし、上記電圧比較器の出力端子が上記ロジック制御モジュール２１の入力端子２１１に接続され、上記ロジック制御モジュール２１の出力端子２１２が上記チャージポンプ回路１０に接続される。
【００３１】
図３に併せて示すように、ここで、上記チャージポンプ回路１０は第２電界効果トランジスタＱ２及び電圧入力端子ＤＲＰを含み、上記ロジック制御モジュール２１の出力端子２１２が上記第２電界効果トランジスタＱ２のゲートに接続され、上記第２電界効果トランジスタＱ２のソースが上記電圧入力端子ＤＲＰに接続され、上記第２電界効果トランジスタＱ２のドレインが接地する。一実施形態では、上記第２電界効果トランジスタＱ２のドレインが第１インダクタＬ１によって接地する。該ロジック制御モジュール２１は既存のパルス幅変調チップに使用されているロジック制御モジュールであり、該ロジック制御モジュール２１はＱ２のオン及びオフを制御することに用いられる。
【００３２】
上記過電流保護回路２０はさらに抵抗器Ｒ及びスイッチを含み、上記抵抗器Ｒの一端が上記ロジック制御モジュール２１の入力端子２１１に接続され、上記抵抗器Ｒの他端が接地する。
【００３３】
上記電圧比較器の出力端子がスイッチの入力端子に接続され、上記スイッチの出力端子が上記ロジック制御モジュール２１の入力端子２１１に接続され、上記スイッチの制御端子が上記電源電圧Ｖａにアクセスする。そのうち、上記電源電圧Ｖａが高レベルである時、上記スイッチがオンし、上記電源電圧Ｖａが低レベルである時、上記スイッチがオフする。
【００３４】
上記電圧比較器の高レベル入力端子が第１電圧Ｖ２を入力し、上記電圧比較器の低レベル入力端子が第２電圧Ｖ１を入力し、上記第１電圧Ｖ２及び上記第２電圧Ｖ１はいずれも上記第２電界効果トランジスタＱ２のインピーダンスに応じて設定される。
【００３５】
そのうち、上記第２電圧Ｖ１は上記第２電界効果トランジスタＱ２のインピーダンスが比較的大きい時の電圧であり、上記第１電圧Ｖ２は上記第２電界効果トランジスタＱ２のインピーダンスが所定インピーダンス範囲内にある電圧である。すなわち、第１電圧Ｖ２はパルス幅変調チップの正常動作時のロジック制御モジュール２１の電圧である。一実施形態では、上記第１電界効果トランジスタＱ３及び上記第２電界効果トランジスタＱ２はいずれもＮチャンネル電界効果トランジスタである。
【００３６】
具体的な動作時には、起動後に、電源電圧Ｖａを使用してゲートの高レベルの駆動電圧ＶＧＨを出力制御する。アナログ電源電圧ＡＶＤＤの確立前には、Ｖａが低レベルであり、この時、第１電界効果トランジスタＱ３がオフし、スイッチがオフし、第２電界効果トランジスタＱ２の制御端子が低レベルであり、よってＱ２がオフする。ここで、アナログ電源電圧ＡＶＤＤはパルス幅変調チップのブーストモジュールによって発生し、これはすなわちパネルを駆動する電源電圧である。ＶａはＡＶＤＤ電圧値が所定値に達した後、パルス幅変調チップの内部で発生する信号であり、この時ＡＶＤＤ電圧が正常動作を開始し、且つ所定値に達することを示す。
【００３７】
アナログ電源電圧ＡＶＤＤの確立後、Ｖａが高レベルであり、この時第１電界効果トランジスタＱ３がオンし、コンデンサＣ６を充電し、電圧比較器の正方向入力端子の電圧ＶＳＳを上昇させるとともに、スイッチがオンし、Ｑ２への給電を開始する。
【００３８】
開始段階、すなわちチャージポンプ回路のオン段階では、電圧比較器の正方向入力端子の電圧であるＶＳＳ電圧が参照電圧Ｖｒｅｆ未満であるため、電圧比較器が第２電圧Ｖ１を出力して、ロジック制御モジュール２１に給電し、この時、Ｑ２のゲートがロジック制御モジュールの制御を受ける可能性があるが、以前に比べて、この時Ｑ２のオン時のインピーダンスが非常に大きく、且つ生じた突入電流が非常に小さくなる可能性があり、従ってＬ１、Ｌ２で大きなエネルギーが発生することがなく、それによりパルス幅変調チップが起動時にこれらの寄生パラメータ及び大電流の影響を受けないことを確実にする。すなわち、上記過電流保護回路２０は上記チャージポンプ回路１０のオン段階では、上記第２電界効果トランジスタＱ２のインピーダンスを増大して、上記チャージポンプ回路１０に過電流保護を行うことに用いられる。
【００３９】
すなわち、起動の瞬時に電圧入力端子ＤＲＰが位置する第２電界効果トランジスタＱ２の抵抗を処理することによって、該電界効果トランジスタに蓄積されるエネルギーがこの電圧入力端子の耐電圧値未満であることを確実にし、起動時のパルス幅変調チップの損傷を回避する。
【００４０】
充電し続ける過程では、すなわち、上記チャージポンプ回路の動作段階では、ＶｓｓがＶｒｅｆよりも大きいため、電圧比較器が第１電圧Ｖ２を出力するが、この時ロジック制御モジュール２１に供給される電圧が正常動作の電圧であり、それによりＱ２の正常動作時のインピーダンスが正常レベルであることを確実にし、パルス幅変調チップ内部の発熱を引き起こすことがない。
【００４１】
上記過電流保護回路によって、パルス幅変調チップの起動中、ＡＶＤＤ電圧が所定値に達した後、ＶＧＨ電圧を出力し始めるとともに、Ｃ６を充電することで、Ｑ２の比較的大きなインピーダンスを維持し、大電流の発生を抑制し、パルス幅変調チップの損傷及びＶＳＳへの充電を回避する。
【００４２】
本発明はさらに、上記過電流保護回路を含む液晶ディスプレイを提供し、該過電流保護回路の具体的な構造は上記記載を参照すればよいため、ここでは重複説明を省略する。
【００４３】
本発明の過電流保護回路及び液晶ディスプレイは、従来のチャージポンプ回路に過電流保護回路を増設することで、起動段階ではチャージポンプ回路の電界効果トランジスタの比較的大きなインピーダンスを維持でき、大電流の発生を抑制し、チップ損傷を防止するとともに、チップの正常動作を確実にすることができる。
【００４４】
以上、好適実施例をもって本発明を開示したが、上記好適実施例は本発明を限定するものではなく、当業者は本発明の精神及び範囲を逸脱せずに種々の変更や修飾を行うことができ、従って本発明の保護範囲は特許請求の範囲に定められる範囲に準じる。
【符号の説明】
【００４５】
１０  チャージポンプ回路
２０  過電流保護回路
２１  ロジック制御モジュール
１１  入力端子
２１２  出力端子
【図１】
2020527311.tif 000003
【図２】
2020527311.tif 000004
【図３】
2020527311.tif 000005
【国際調査報告】
2020527311.tif 000006
2020527311.tif 000007
2020527311.tif 000008
2020527311.tif 000009